(57)【要約】【課題】  定荷重ばねを使用して小さな力でマネキン人形の高さ調整が可能であり、構造が簡単で、かつ、固定ネジを備えることにより着せ替えなどの作業性に優れたマネキン人形用スタンドを提供する。【解決手段】  ベース板２１上に設けられる筒状の固定柱２０と、係止部３１を備え固定柱２０内に上方から挿入される可動柱３０とを備えてなり、少なくとも１個の定荷重ばね５１を備えて固定柱２０内を上下するばねユニット５０と、固定柱２０の上端部に固定されて可動柱３０が挿通されるとともに定荷重ばね５１の一端が固定される固定環６０と、雄ネジであって固定柱２０の外側から可動柱３０を固定可能とする固定ネジ７０を備えてなる。【選択図】図２
0003184737.tif 000002
【実用新案登録請求の範囲】
【請求項１】
ベース板上に設けられる筒状の固定柱と、上部に人形の係止部を備えて前記固定柱内に上方から挿入される可動柱とを備えてなるマネキン人形用スタンドであって、
少なくとも１個の定荷重ばねを備えて前記固定柱内を上下するばねユニットと、
前記固定柱の上端部に固定されて前記可動柱が挿通されるとともに前記定荷重ばねの一端が固定される固定環と、
雄ネジであって前記固定柱の外側から前記可動柱を固定可能とする固定ネジを備えてなることを特徴とするマネキン人形用スタンド。
【請求項２】
前記固定柱が、前記固定ネジに螺合する雌ネジを備えていることを特徴とする請求項１に記載のマネキン人形用スタンド。
【請求項３】
前記固定環が、前記固定ネジのネジ部を挿通させる開口を備えていることを特徴とする請求項２に記載のマネキン人形用スタンド。
【請求項４】
前記固定環が、前記固定ネジに螺合する雌ネジを備えていることを特徴とする請求項１に記載のマネキン人形用スタンド。
【請求項５】
前記ばねユニットが、前記固定柱の内面を摺動する摺動板を備えていることを特徴とする請求項１乃至４の何れか１項に記載のマネキン人形用スタンド。
【考案の詳細な説明】
【技術分野】
【０００１】
本考案は、展示用のマネキン人形を支持するスタンドであって、構造が簡単であるとともに、衣類の着せ替え作業を容易に行うことができるマネキン人形用スタンドに関する。
【背景技術】
【０００２】
衣類を纏って店頭に飾られるマネキン人形の多くは、専用のスタンドによって一定の姿勢が保持されるようになっている。また、一つのスタンドに対して、多様なマネキン人形を交換して使用できる構造としている。例えば、マネキン人形の背中に係止孔を設けて、ここにスタンドの係止部が係止するようになっている。また、ネジ止めなどにより簡単に固定できるようになっている。
【０００３】
そして、マネキン人形や着せる衣類によって展示する高さを変更できるように、係止部の高さが調節できるようにされている。すなわち、スタンドの柱部は、筒状の固定柱の中に係止部を備える可動柱が挿入される構造に形成され、挿入する長さを調節できるようにしている。さらに、この調節をするときにマネキン人形の重さが作業者の負担とならないように、上下する力を軽減する工夫もなされている。すなわち、固定柱と可動柱が、荷重を打ち消すように働くばねを介して結合される構造である。
【０００４】
使用するばねとしては、一般的なコイルばねや空気ばねを用いることができるが、特許文献１には、定荷重ばねを用いたマネキン人形用スタンドが記載されている。記載された定荷重ばねは、ドラムに帯状の板ばねを巻き付けて形成され、板ばねが一定の曲率で形成されているために、直線状に引き伸ばしたときに生じる戻りの力（荷重）が、ストロークによらず一定となるばねである。
【０００５】
図６に示すように、このマネキン人形用スタンド１１０は、筒状の固定柱１２０に上方から可動柱１３０が挿入され、全体が伸縮自在となっている。固定柱１２０の内部には、ばねユニット１５０が挿入され、ばねユニット１５０は、枠体１５５に複数の定荷重ばね１５１とガイドローラ１５２が納められている。定荷重ばね１５１の端部は固定柱１２０に固定され、可動柱１３０の下端は枠体１５５の上部に固定されている。
【０００６】
したがって、可動柱１３０に人形の荷重が掛かると、ばねユニット１５０が下方に押し下げられるとともに、複数の定荷重ばね１５１によって上方に押し戻そうとする力が作用する。そして、ばねの力をマネキン人形の荷重に大略等しくすることにより、実際の荷重よりもはるかに小さい力で、マネキン人形の高さを調節することができる。また、静止摩擦力が作用するのでマネキン人形を任意の位置で静止させることができる。
【０００７】
マネキン人形用スタンド１１０を実際に用いてみると、小さな力で高さ調節を行うことができるとともに、調節した位置を保持して展示することができるので大変便利である。
しかしながら、図６に記載されているように、固定柱１２０の中には、ばねユニット１５０以外にも、上部ガイド部材１４１、下部ガイド部材１４２、内臓パイプ１４３等が納められている。このため、構造が複雑であるとともに、可動柱１３０の可動範囲が短く制限されている。
【０００８】
また、小さな力でマネキン人形を上下に移動できるために、衣類の着せ替えなどの作業を行う場合には、その作業が著しく困難になる。例えば、人形にズボンを履かせるような場合において、上下の向きに力を加えると、ズボンが動かずにマネキン人形自体が動いてしまうことになる。
【先行技術文献】
【特許文献】
【０００９】
【特許文献１】実用新案登録第３１７９１７２号公報
【考案の概要】
【考案が解決しようとする課題】
【００１０】
したがって、本考案の目的は、定荷重ばねを使用することにより、小さな力でマネキン人形の高さ調整が可能なマネキン人形用スタンドであって、構造が簡単であり、可動柱の可動範囲を大きくできるマネキン人形用スタンドを提供することである。そして、衣類の着せ替えなどにおいて、作業性の良いマネキン人形用スタンドを提供することである。
【課題を解決するための手段】
【００１１】
そこで、本考案の請求項１に係るマネキン人形用スタンドは、ベース板上に設けられる筒状の固定柱と、上部に人形の係止部を備えて前記固定柱内に上方から挿入される可動柱とを備えてなるマネキン人形用スタンドであって、少なくとも１個の定荷重ばねを備えて前記固定柱内を上下するばねユニットと、前記固定柱の上端部に固定されて前記可動柱が挿通されるとともに前記定荷重ばねの一端が固定される固定環と、雄ネジであって前記固定柱の外側から前記可動柱を固定可能とする固定ネジを備えてなる手段を採用している。
【００１２】
また、本考案の請求項２に係るマネキン人形用スタンドは、請求項１に記載のマネキン人形用スタンドであって、前記固定柱が、前記固定ネジに螺合する雌ネジを備えている手段を採用している。また、本考案の請求項３に係るマネキン人形用スタンドは、請求項２に記載のマネキン人形用スタンドであって、前記固定環が、前記固定ネジのネジ部を挿通させる開口を備えている手段を採用している。また、本考案の請求項４に係るマネキン人形用スタンドは、請求項１に記載のマネキン人形用スタンドであって、前記固定環が、前記固定ネジに螺合する雌ネジを備えている手段を採用している。また、本考案の請求項５に係るマネキン人形用スタンドは、請求項１乃至４の何れか１項に記載のマネキン人形用スタンドであって、前記ばねユニットが、前記固定柱の内面を摺動する摺動板を備えている手段を採用している。
【考案の効果】
【００１３】
本考案のマネキン人形用スタンドは、固定柱の上端部に固定環を固定し、ここに定荷重ばねの一端を固定する構造としている。これによって、固定柱の内部構造が著しく簡単になるとともに、可動柱の可動範囲を大きくすることができる。また、固定ネジを備えているので可動柱を固定することが可能であり、衣類の着せ替えなどにおいて作業性を向上させることができる。
【図面の簡単な説明】
【００１４】
【図１】本考案のマネキン人形用スタンドを示し、（ａ）は概略正面図、（ｂ）はマネキン人形を係止させた概略図である。
【図２】図１の固定柱内を拡大して示す一部断面概略正面図である。
【図３】図１の固定柱内を拡大して示す一部断面概略側面図である。
【図４】固定環を示し、（ａ）は概略平面図、（ｂ）は概略正面図、（ｃ）は概略側面図である。
【図５】固定ネジと螺合させる雌ネジの具体例を示し、（ａ）は固定柱の外側に位置する場合、（ｂ）は固定柱の外側に位置し、ネジ部が固定環を挿通する場合、（ｃ）は固定環に位置する場合である。
【図６】従来のマネキン人形用スタンドにおける固定柱内の構造の一例を示す概略断面図である。
【考案を実施するための形態】
【００１５】
図１は本考案の概要を示しており、（ａ）は概略正面図、（ｂ）はマネキン人形を係止させた概略図である。本考案のマネキン人形用スタンド１０は、ベース板２１に設けられる固定柱２０と、上部に人形を係止するための係止部３１を備えて固定柱２０内に上方から挿入される可動柱３０を備えている。可動柱３０と固定柱２０によって全体が伸縮自在であるとともに、固定柱２０の外側にある固定ネジ７０によって可動柱３０を固定することができる。
【００１６】
マネキン人形用スタンド１０は、固定柱２０内にばねユニット５０を備え、人形の荷重をばねの力によって打ち消すことによって、小さな力でマネキン人形の高さを容易に調節することができる。そして、任意の位置で静止させることができる。以下、ばねユニット５０については図２及び図３により、固定環６０については図４により、固定ネジ７０については図５により説明する。
【００１７】
可動柱３０は、固定柱２０の上部に設けられた固定環６０を挿通して、固定柱２０内に挿入されている。可動柱３０の下端部は、ボルト９１によってばねユニット５０に固定されている。固定することによって、可動柱３０が固定柱２０から外れることがなく、取り扱いを容易にすることができる。ばねユニット５０は、定荷重ばね５１が巻かれたドラム５３を枠体５５に回動自在に装着したものであり、ここでは２個の定荷重ばね５１が使用されている。定荷重ばね５１は、ドラム５３に一定の曲率で巻き付けられ、マネキン人形の重量などによって１個又は複数個使用される。
【００１８】
定荷重ばね５１の一端は、それぞれ引き出されて固定環６０にネジ９２で固定されている。可動柱３０にマネキン人形を取り付けると、その荷重によって、可動柱３０の下端がばねユニット５０に下向きの力を加える。そして、ばねユニット５０は、定荷重ばね５１を引き伸ばしながら可動柱３０とともに下降することになる。
【００１９】
ここで、ばねの強さを荷重の重力に近いものに選定することによって、人が容易に操作できるスタンドとなる。すなわち、僅かな力によって、係止部３１の高さを調節することができる。また、調節した位置で静止させることができる。可動柱３０の可動範囲は、ばねユニット５０が上下に移動できる範囲でもある。可動柱３０が十分な長さを備えているときは、枠体５５の上端が固定環６０に接触する位置が最高位置となり、枠体５５の下端がベース板２１に接触する位置が最低位置となる。
【００２０】
そして、ばねユニット５０は、その下部に摺動板５６を備えることが好ましく、摺動板５６の外形寸法を、固定柱２０の内側寸法よりも僅かに小さくすることが好ましい。これにより、ばねユニット５０は、摺動板５６を固定柱２０の内面に摺動させて、上下に移動することになる。そして、可動柱３０は、固定環６０の挿通孔６３及びばねユニット５０の摺動板５６によって拘束されるために、固定柱２０内を安定した状態で上下に移動することになる。
【００２１】
固定環６０の構造を図４により説明する。固定環６０は、柱状であって可動柱３０の挿通孔６３を備えた本体部６１と、固定柱２０の上端部で蓋となる蓋部６２とを一体にした形態をなしている。固定環６０は、定荷重ばね５１の端部を固定するために、対向する２側面にそれぞれ２個のネジ穴６５を備え、図３に示すようにネジ９２によって固定している。また、固定環６０は、固定柱２０に固定するために、別の２側面にそれぞれ２個のネジ穴６６を備え、図３に示すようにネジ９３によって固定されている。
【００２２】
本体部６１と蓋部６２からなる固定環６０の構造は、ネジ穴６６の位置が明確となり、組立作業を容易にすることができる。また、固定環６０を固定柱２０の上端部に固定すると、蓋部６２が固定柱２０の上端開口を塞ぐことができる。そして、固定環６０の一つの側面には、固定ネジ７０のネジ部を挿通させるために開口６４が設けられている。
【００２３】
固定ネジ７０について図５により説明する。固定ネジ７０としては、市販の手で締めるネジの多くを使用することができる。すなわち、蝶ボルトや円いダイヤルを備えるボルトなどである。図５（ａ）は、固定ネジ７０と螺合する雌ネジ７１が、固定柱２０の比較的高い位置に設けられる場合を示している。固定ネジ７０のネジ部の先端は、固定柱２０を挿通して可動柱３０に達している。これによって、固定柱２０に対して可動柱３０をしっかりと固定することができる。
【００２４】
図５（ｂ）は、固定ネジ７０と螺合する雌ネジ７１が、固定柱２０に設けられるとともに、固定環６０が固定ネジ７０のネジ部を挿通させる開口６４を備えている場合を示している。固定ネジ７０のネジ部の先端は、固定柱２０及び固定環６０を挿通して可動柱３０に達している。これによって、固定柱２０に対して可動柱３０をしっかりと固定することができる。図２〜図４は、全てこの場合を示している。
【００２５】
図５（ｃ）は、固定ネジ７０と螺合する雌ネジ７１が固定環６０に設けられる場合を示し、例えば、固定環６０の上述した開口６４の代わりに、雌ネジ７１を形成することができる。固定ネジ７０は、固定柱２０を挿通した後に、固定環６０の雌ネジ７１と螺合して可動柱３０に達している。これによって、固定柱２０に対して可動柱３０をしっかりと固定することができる。
【００２６】
本考案のマネキン人形用スタンド１０は、次の手順で容易に組み立てることができる。
１）枠体５５に、ドラム５３と定荷重ばね５１を取り付けて、ばねユニット５０を組み立てる。
２）ボルト９１により、可動柱３０の下端にばねユニット５０を固定する。
３）ネジ９２により、定荷重ばね５１の一端を固定環６０に固定する。
４）ばねユニット５０を固定柱２０の上方から挿入し、ネジ９３により、固定環６０を固定柱２０に固定する。
５）固定ネジ７０を取り付ける。
【符号の説明】
【００２７】
１０：  マネキン人形用スタンド
２０：  固定柱
２１：  ベース板
３０：  可動柱
３１：  係止部
５０：  ばねユニット
５１：  定荷重ばね
５６：  摺動板
６０：  固定環
６４：  開口
７０：  固定ネジ
７１：  雌ネジ
【図１】
0003184737.tif 000003
【図２】
0003184737.tif 000004
【図３】
0003184737.tif 000005
【図４】
0003184737.tif 000006
【図５】
0003184737.tif 000007
【図６】
0003184737.tif 000008